(57)【特許請求の範囲】
【請求項１】
ウイング車のセンターシートを補修する、接着面側が第１の保護シートで保護された補修用シートを貼付するシート貼付装置であって、
第１の側方部材と、
前記第１の側方部材と間隔を空けて配置された第２の側方部材と、
前記第１の側方部材及び前記第２の側方部材に取り付けられ、ロール状の前記補修用シートを回転可能に支持するシート支持部と、
前記第１の側方部材及び前記第２の側方部材により回転可能に支持され、作業者が手動により回転させることによって前記第１の保護シートを巻き取る巻取りロールと、を備えたシート貼付装置。
【請求項２】
請求項１記載のシート貼付装置において、
前記補修用シートの端部の接着面及び前記第１の保護シートの間に、第２の保護シートが設けられているシート貼付装置。
【請求項３】
請求項１又は２記載のシート貼付装置において、
前記シート支持部が、前記巻取りロールよりも、前記補修用シートの貼り付け方向の手前側に配置されているシート貼付装置。
【請求項４】
請求項３記載のシート貼付装置において、
前記第１の側方部材及び前記第２の側方部材を互いに連結する補強部材を更に備えたシート貼付装置。
【請求項５】
請求項４記載のシート貼付装置において、
前記第１の側方部材、前記第２の側方部材、前記シート支持部、前記巻取りロール、及び前記補強部材の材質が、ダンボールであるシート貼付装置。
【請求項６】
請求項２記載のシート貼付装置を使用したセンターシートの補修方法であって、
前記第１の保護シートを前記巻取りロールに取り付ける工程と、
前記シート貼付装置から前記補修用シートを引き出して、該補修用シートの端部を施工部に位置合わせする工程と、
前記シート貼付装置を移動させながら前記補修用シートを前記施工部に貼付するとともに、前記巻取りロールを回転させて前記第１の保護シートを巻き取る工程と、
前記第２の保護シートを剥がし、該第２の保護シートによって保護されていた前記補修用シートの部分を前記施工部に貼付する工程と、を含むセンターシートの補修方法。
【請求項７】
第１の側方部材と、
前記第１の側方部材と間隔を空けて配置された第２の側方部材と、
前記第１の側方部材及び前記第２の側方部材に取り付けられ、接着面側が保護シートで保護されたロール状のシートを回転可能に支持するシート支持部と、
前記第１の側方部材及び前記第２の側方部材により回転可能に支持され、作業者が手動により回転させることによって前記保護シートを巻き取る巻取りロールと、を備えたシート貼付装置。
【請求項８】
請求項１記載の補修用シートであって、
端部の前記接着面及び前記第１の保護シートの間に、該接着面を保護する第２の保護シ
ートが設けられている補修用シート。
【発明の詳細な説明】
【技術分野】
【０００１】
本発明は、シート貼付装置、センターシートの補修方法、及び補修用シートに関する。
【背景技術】
【０００２】
特許文献１には、ウイング車両の荷台の前壁と後壁の頂部中央に架設されるセンターレールの左右に、それぞれ回動可能に設けられた一対のウイングルーフの間に張設される帯状のウイング車両のセンターシート取付構造が記載されている。このウイング車両のセンターシート取付構造は、ウイングルーフのセンターレール側の端部にそれぞれ止着されたシートレールと、シートレールにスライド挿着が可能となるガイド部材を有するセンターシートと、センターシートの長手方向の両端をウイングルーフに貼接する防水テープとを備え、センターシートは、センターレール側に向けた内側シートと、内側シートの上に接合された外側シートとの二層構造体であり、内側シートの長手方向の両端にはガイド部材が取り付けられ、外側シートの長手方向の両端は防水テープによりウイングルーフに貼接されている。
【先行技術文献】
【特許文献】
【０００３】
【特許文献１】特開２０１１−２０４８３号公報
【発明の概要】
【発明が解決しようとする課題】
【０００４】
ここで一般に、センターシートは防水加工を施した布で形成されている。センターシートは、ウイングルーフの開閉に伴って屈曲を繰り返し、この屈曲部分が傷むと防水効果が低下する。また、センターシートは、経年変化により劣化し、防水効果が低下する。その結果、ウイング車の荷室への雨漏りが発生し、センターシートの修理が必要となる。
センターシートの修理方法として、２つの方法が知られている。第１の方法は、ウイングルーフを取り外し、センターシートを張り替える方法である。第２の方法は、既存のセンターシートの上を覆うように、補修用シートを貼る方法である。第１の方法は、日数がかかり、修理代金も高額となるため、第２の方法が主流となっている。
ところが、第２の方法においては、一人で作業することが困難であった。
【０００５】
本発明は、作業者が一人で作業できるシート貼付装置及びセンターシートの補修方法を提供することを目的とする。
また、本発明は、作業者が一人で貼り付けることができる補修用シートを提供することを目的とする。
【課題を解決するための手段】
【０００６】
前記目的に沿う第１の発明に係るシート貼付装置は、ウイング車のセンターシートを補修する、接着面側が第１の保護シートで保護された補修用シートを貼付するシート貼付装置であって、
第１の側方部材と、
前記第１の側方部材と間隔を空けて配置された第２の側方部材と、
前記第１の側方部材及び前記第２の側方部材に取り付けられ、ロール状の前記補修用シートを回転可能に支持するシート支持部と、
前記第１の側方部材及び前記第２の側方部材により回転可能に支持され、作業者が手動により回転させることによって前記第１の保護シートを巻き取る巻取りロールと、を備える。
【０００７】
第１の発明に係るシート貼付装置において、
前記補修用シートの端部の接着面及び前記第１の保護シートの間に、第２の保護シートが設けられていることが好ましい。
第１の発明に係るシート貼付装置において、
前記シート支持部が、前記巻取りロールよりも、前記補修用シートの貼り付け方向の手前側に配置されていることが好ましい。
【０００８】
第１の発明に係るシート貼付装置において、
前記第１の側方部材及び前記第２の側方部材を互いに連結する補強部材を更に備えていることが好ましい。
【０００９】
第１の発明に係るシート貼付装置において、
前記第１の側方部材、前記第２の側方部材、前記シート支持部、前記巻取りロール、及び前記補強部材の材質が、ダンボールであることが好ましい。
【００１０】
【００１１】
前記目的に沿う第２の発明に係るセンターシートの補修方法は、第１の発明に係るシート貼付装置を使用したセンターシートの補修方法であって、
前記第１の保護シートを前記巻取りロールに取り付ける工程と、
前記シート貼付装置から前記補修用シートを引き出して、該補修用シートの端部を施工部に位置合わせする工程と、
前記シート貼付装置を移動させながら前記補修用シートを前記施工部に貼付するとともに、前記巻取りロールを回転させて前記第１の保護シートを巻き取る工程と、
前記第２の保護シートを剥がし、該第２の保護シートによって保護されていた前記補修用シートの部分を前記施工部に貼付する工程と、を含む。
【００１２】
前記目的に沿う第３の発明に係るシート貼付装置は、第１の側方部材と、
前記第１の側方部材と間隔を空けて配置された第２の側方部材と、
前記第１の側方部材及び前記第２の側方部材に取り付けられ、接着面側が保護シートで保護されたロール状のシートを回転可能に支持するシート支持部と、
前記第１の側方部材及び前記第２の側方部材により回転可能に支持され、作業者が手動により回転させることによって前記保護シートを巻き取る巻取りロールと、を備える。
【００１３】
前記目的に沿う第４の発明に係る補修用シートは、第１の発明に係る補修用シートであって、
端部の前記接着面及び前記第１の保護シートの間に、該接着面を保護する第２の保護シートが設けられている。
【発明の効果】
【００１４】
請求項１〜５に記載の発明によれば、ウイング車のセンターシートを補修する作業者が一人で作業できるシート貼付装置を提供できる。
請求項６に記載の発明によれば、ウイング車のセンターシートを補修する作業者が一人で作業できるセンターシートの補修方法を提供できる。
請求項７に記載の発明によれば、作業者が一人でシートを貼り付けることができるシート貼付装置を提供できる。
請求項８に記載の発明によれば、作業者が一人で貼り付けることができる補修用シートを提供できる。
【図面の簡単な説明】
【００１５】
【図１】本発明の一実施の形態に係るシート貼付装置により補修用シートが貼付されるウイング車の説明図である。
【図２Ａ】ロール状の補修用シートが取り付けられた同シート貼付装置の斜視図である。
【図２Ｂ】同シート貼付装置の斜視図である。
【図３】同シート貼付装置の側断面図であって、構造を示す説明図である。
【図４】同シート貼付装置の使用方法を示す説明図である。
【発明を実施するための形態】
【００１６】
続いて、添付した図面を参照しつつ、本発明を具体化した実施の形態につき説明し、本発明の理解に供する。なお、説明に関連しない部分は図示を省略する場合がある。
【００１７】
ウイング車Ｔは、図１に示すように、荷室の両側面がパネルＰによって構成され、このパネルＰが上側に大きく開くことによって、荷物の積み下ろしが容易になるように構成されている。なお、パネルＰは、ウイングルーフ又はルーフパネルと呼ばれる場合もある。
ウイング車Ｔの荷室の上面の中央部分（図１に示すハッチング部分）には、荷室内への雨漏りを抑制するために、パネルＰの付け根部分を覆うようにセンターシートが張られている。このセンターシートを補修するための補修用シート（シートの一例）ＲＳ（図２Ａ参照）は、センターシートの上から貼付される。
【００１８】
補修用シートＲＳは、接着面側が第１の保護シートＰＳ１（図３参照）で保護されている。補修用シートＲＳの端から例えば５００〜１０００ｍｍまでの領域Ａ（図４参照）においては、接着面と第１の保護シートＰＳ１との間に、更に第２の保護シート（不図示）が設けられ、接着面が保護されている。すなわち、領域Ａにおいては、保護シートは二重になっている。
【００１９】
本発明の一実施の形態に係るシート貼付装置１０は、第１の保護シートＰＳ１（図３参照）及び第２の保護シートにより保護されたロール状の補修用シートＲＳ（保護シート付き補修用シート）が取り付けられ、作業者が効率よく補修用シートＲＳを貼付できる。
シート貼付装置１０は、図２Ａ及び図２Ｂに示すように、第１の側方部材１２ａ、第２の側方部材１２ｂ、シート支持部１４、巻取りロール１６、及び補強部材１８を備えている。
【００２０】
第１の側方部材１２ａは、板状の部材である。第１の側方部材１２ａは、図２Ａに示すように、底面にパネルＰの上面に接する接触面１２２ａを有している。
【００２１】
第２の側方部材１２ｂは、第１の側方部材１２ａと厚み方向に間隔を空けて配置された板状の部材である。第２の側方部材１２ｂは、底面にパネルＰの上面に接する接触面１２２ｂを有している。
【００２２】
シート支持部１４は、ロール状の補修用シートＲＳを回転可能に支持できる。シート支持部１４は、図２Ｂに示すように、筒状の部材であり、一方の端部が第１の側方部材１２ａに、他方の端部が第２の側方部材１２ｂに取り付けられている。シート支持部１４は、平面視して、巻取りロール１６よりも補修用シートＲＳの貼り付け方向（図２Ａに示す貼付方向Ｘ）の手前側に配置されている。
シート支持部１４は、ロール状の補修用シートＲＳを回転可能に支持できるのであれば筒状の部材でなくてもよく、例えば、第１の側方部材１２ａ及び第２の側方部材１２ｂから内側にそれぞれ突出し、ロール状の補修用シートＲＳの中空部にそれぞれ挿入される一対の部材であってもよい。
【００２３】
巻取りロール１６は、第１の側方部材１２ａ及び第２の側方部材１２ｂにより、回転可能に支持され、補修用シートＲＳの接着面側を保護する第１の保護シートＰＳ１（図３参照）を巻き取ることができる。巻取りロール１６は、図２Ａ及び図２Ｂに示すように、巻取りロール１６を回転させるための取手部１６２を有し、作業者が手動で駆動することによって回転する。取手部１６２は、第１の側方部材１２ａから外側へ突出している。
【００２４】
補強部材１８は、第１の側方部材１２ａ及び第２の側方部材１２ｂを互いに連結する円筒状の部材である。補強部材１８は、図３に示すように、シート支持部１４及び巻取りロール１６よりも低い位置に配置されている。補強部材１８の中心軸Ｊ３の位置は、平面視して、シート支持部１４の中心軸Ｊ１と巻取りロール１６の中心軸Ｊ２との間にある。
【００２５】
第１の側方部材１２ａ、第２の側方部材１２ｂ、シート支持部１４、巻取りロール１６、及び補強部材１８の材質は、それぞれダンボールである。シート支持部１４、巻取りロール１６、及び補強部材１８を第１の側方部材１２ａ及び第２の側方部材１２ｂに取り付けるための部品（不図示）の材質も、ダンボールであることが好ましい。
【００２６】
次に、シート貼付装置１０を用いたセンターシートの補修方法について説明する。このセンターシートの補修方法は、作業者が一人で行うことができ、以下のステップに従って実行される。ただし、可能な場合には、各ステップの順番が入れ替えて実行されてもよいし、並行して実行されてもよい。
【００２７】
（ステップＳ１）
シート貼付装置１０を準備し、図１に示すウイング車Ｔの荷室のパネルＰの上にシート貼付装置１０を載せる。
なお、前述の通り、第１の側方部材１２ａ、第２の側方部材１２ｂ、シート支持部１４、巻取りロール１６及び補強部材１８の材質が、それぞれダンボールであるため、シート貼付装置１０は軽量である。従って、作業者は、シート貼付装置１０を高所であるパネルＰの上に容易に載せられる。
シート貼付装置１０は、図３に示すように、シート支持部１４が、巻取りロール１６よりも貼付方向Ｘの手前側となるように設置される。
【００２８】
（ステップＳ２）
シート貼付装置１０から、第１の保護シートＰＳ１のついた補修用シートＲＳを引き出す。第１の保護シートＰＳ１の端部を巻取りロール１６にテープにて固定する。
引き出した補修用シートＲＳを施工部に位置合わせする。補修用シートＲＳの端部（図４に示す領域Ａ）には、第２の保護シートが残っているので、補修用シートＲＳが張り付いてしまうことが抑えられる。従って、作業者は、補修用シートＲＳの位置を調整できる。
【００２９】
（ステップＳ３）
図４に示すように、作業者が第１の側方部材１２ａ及び第２の側方部材１２ｂを持って、それぞれの接触面１２２ａ、１２２ｂをパネルＰに接触させながら、シート貼付装置１０を貼付方向Ｘに押し進めて移動させる。補修用シートＲＳは、図３に示すように、シート貼付装置１０が貼付方向Ｘに押し進められるとともに引き出される。その結果、補修用シートＲＳは、位置ずれやシワの発生が抑えられた状態で、施工部であるパネルＰの付け根部分（図１に示すハッチング部分）に貼付される。
その際、作業者は、図２Ａに示す巻取りロール１６の取手部１６２を回転させ、第１の保護シートＰＳ１を巻き取りながらシート貼付装置１０を押し進める。
【００３０】
（ステップＳ４）
第２の保護シートを剥がし、第２の保護シートによって保護されていた補修用シートＲＳの部分（図４に示す領域Ａ）を施工部に貼付する。なお、本ステップは、補修用シートＲＳが施工部に位置合わせされた後（ステップＳ２が実行された後）、かつ次ステップＳ５が実行される前であれば、いつ実行されてもよい。
【００３１】
（ステップＳ５）
補修用シートＲＳを貼付し終わった後、ウイング車Ｔの後方側及び前方側の余った端部をそれぞれ切断して仕上がりを整える。
前述の通り、シート貼付装置１０を構成する主要な部材である第１の側方部材１２ａ、第２の側方部材１２ｂ、シート支持部１４、巻取りロール１６及び補強部材１８の材質が、それぞれダンボールであるので、使用後は資源ごみとして廃棄できる。
【００３２】
このように、シート貼付装置１０によれば、作業者が一人で補修用シートＲＳを貼付できる。また、貼付した補修用シートＲＳの位置ずれが発生し難いので、位置ずれした部分を剥がして再度貼り直す作業が発生することが抑えられ、センターシートの補修作業が容易となる。
【００３３】
以上、本発明の実施の形態を説明したが、本発明は、上記した形態に限定されるもので
なく、要旨を逸脱しない条件の変更等は全て本発明の適用範囲である。
第１の側方部材及び第２の側方部材には、キャスターが設けられていても良い。すなわち、作業者は、第１の側方部材及び第２の側方部材の接触面をパネルに接触させながら補修用シートを貼付していたが、キャスターによりシート貼付装置を転がして貼付してもよい。
なお、前述のシート貼付装置は、補修用シートのみならず、任意の接着面を有するロール状のシートを施工面に貼付することも可能である。
【符号の説明】
【００３４】
１０  シート貼付装置
１２ａ  第１の側方部材
１２ｂ  第２の側方部材
１４  シート支持部
１６  巻取りロール
１８  補強部材
１２２ａ、１２２ｂ  接触面
１６２  取手部
Ｐ  パネル
ＰＳ１  保護シート
ＲＳ  補修用シート
Ｔ  ウイング車
【図１】
0005927589.tif 000002
【図２Ａ】
0005927589.tif 000003
【図２Ｂ】
0005927589.tif 000004
【図３】
0005927589.tif 000005
【図４】
0005927589.tif 000006